(57)【要約】【課題】操作性を向上することができる医療用処置器具の操作装置を提供すること。【解決手段】操作ワイヤ１１がスライド可能に挿通されたチューブ１２を有するカテーテル部１０と、カテーテル部１０の遠位端に配置される処置部２０とを備える医療用処置器具のカテーテル部１０の近位端に配置される操作装置３０である。チューブ１２が接続され、略直線状のレール部３１ｃを有するベース部材３１と、操作ワイヤ１１が接続され、レール部３１ｃに沿ってスライド可能にベース部材３１に取り付けられたスライダ部材３２とを備える。ベース部材３１は、スライダ部材３２よりも近位端側に第１指掛部３１ａを有し、スライダ部材３２よりも遠位端側に第２指掛部３１ｂを有し、スライダ部材３２は、第３指掛部３２ａおよび第４指掛部３２ｂを有する。【選択図】図１
2019130037.tif 000002
【特許請求の範囲】
【請求項１】
それぞれ遠位端および近位端を有する長尺体と該長尺体がスライド可能に挿通された筒状体とを有するカテーテル部と、該カテーテル部の遠位端に配置される処置部とを備える医療用処置器具の該カテーテル部の近位端に配置される操作装置であって、
前記長尺体および前記筒状体の一方が接続され、略直線状のレール部を有するベース部材と、
前記長尺体および前記筒状体の他方が接続され、前記レール部に沿ってスライド可能に前記ベース部材に取り付けられたスライダ部材とを備え、
前記ベース部材は、前記スライダ部材よりも近位端側に第１指掛部を有し、前記スライダ部材よりも遠位端側に第２指掛部を有し、
前記スライダ部材は、第３指掛部を有する医療用処置器具の操作装置。
【請求項２】
前記スライダ部材は、第４指掛部をさらに有し、
前記第３指掛部および前記第４指掛部を、前記レール部から互いに逆向きに側方に突出するように配置し、
前記第１指掛部および前記第２指掛部を、前記レール部から互いに逆向きに側方に突出するように配置し、
前記第１指掛部と前記第３指掛部とを前記レール部の一方の側に、前記第２指掛部と前記第４指掛部とを該レール部の他方の側に設けた請求項１に記載の医療用処置器具の操作装置。
【請求項３】
前記第１指掛部、前記第２指掛部、および前記第３指掛部は、指挿入用の貫通穴をそれぞれ有する請求項１または２に記載の医療用処置器具の操作装置。
【発明の詳細な説明】
【技術分野】
【０００１】
本発明は、体内に挿入される処置部を体外から操作して、体内にて各種の処置を行うための医療用処置器具の操作装置に関する。
【背景技術】
【０００２】
たとえば内視鏡を利用して経管腔的に処置を行うための内視鏡用処置器具として、それぞれ遠位端および近位端を有するワイヤと該ワイヤがスライド可能に挿通されるチューブ（シース）とを含むカテーテル部を有し、カテーテル部の遠位端に体内にて処置するための処置部（マニピュレータ）を、該カテーテル部の近位端にワイヤおよびシースを相対的にスライド等させる操作部（ハンドル）を配置して構成されるものが用いられている（たとえば、特許文献１参照）。
【０００３】
そのハンドルとしては、特許文献１では、ベース部材と、該ベース部材にスライド可能に取り付けられたスライダ部材とを備えたものを用いている。相対的にスライドさせるべきワイヤはスライダ部材に、シースはベース部材に接続固定されている。ベース部材はその近位端に略円環状のリング部を一体的に有し、スライダ部材はベース部材を挟んで両側にそれぞれ略円環状の一対のリング部を一体的に有している。
【０００４】
ベース部材のリング部に親指を挿入配置し、スライダ部材の一対のリング部に人差指および中指を挿入配置して、互いに近接（スライダ部材をベース部材に対して近位端側にスライド）させ、または離間（スライダ部材をベース部材に対して遠位端側にスライド）させるように操作して、チューブとワイヤとを相対的にスライドし得るようになっている。
【０００５】
しかしながら、一般に、握る操作（親指に対して人差指および中指を近接させる操作）では比較的に力を入れ易いのに対して、開く操作（親指に対して人差指および中指を離間させる操作）では比較的に力を入れ難い傾向にあるため、特許文献１に記載の従来のハンドルでは、処置部の構成にもよるが、開く操作を行う際に操作がし難い場合があるという問題がある。
【先行技術文献】
【特許文献】
【０００６】
【特許文献１】特開２０１５−８８５８号公報
【発明の概要】
【発明が解決しようとする課題】
【０００７】
本発明は、このような点に鑑みてなされたものであり、操作性を向上させることができる医療用処置器具の操作装置を提供することを目的とする。
【課題を解決するための手段】
【０００８】
上記目的を達成するために、本発明に係る医療用処置器具の操作装置は、
それぞれ遠位端および近位端を有する長尺体と該長尺体がスライド可能に挿通された筒状体とを有するカテーテル部と、該カテーテル部の遠位端に配置される処置部とを備える医療用処置器具の該カテーテル部の近位端に配置される操作装置であって、
前記長尺体および前記筒状体の一方が接続され、略直線状のレール部を有するベース部材と、
前記長尺体および前記筒状体の他方が接続され、前記レール部に沿ってスライド可能に前記ベース部材に取り付けられたスライダ部材とを備え、
前記ベース部材は、前記スライダ部材よりも近位端側に第１指掛部を有し、前記スライダ部材よりも遠位端側に第２指掛部を有し、
前記スライダ部材は、第３指掛部を有する。
【０００９】
本発明に係る医療用処置器具の操作装置では、ベース部材が、スライダ部材よりも近位端側に第１指掛部を有し、前記スライダ部材よりも遠位端側に第２指掛部を有している。このため、たとえば、第１指掛部に親指を掛けるとともに、第３指掛部に他の単一または複数の指（人差指や中指等）を掛けて、これらを近接させるように握る操作を行うことにより、スライダ部材をベース部材に対して近位端側にスライドさせることができる。また、たとえば、第２指掛部に親指を掛けるとともに、第３指掛部に他の単一または複数の指（人差指や中指等）を掛けて、これらを近接させるように握る操作を行うことにより、スライダ部材をベース部材に対して遠位端側にスライドさせることができる。したがって、いずれの方向への操作も、握る操作で行い得るため、その操作性を向上することができる。
【００１０】
本発明に係る医療用処置器具の操作装置において、
前記スライダ部材は、第４指掛部をさらに有し、
前記第３指掛部および前記第４指掛部を、前記レール部から互いに逆向きに側方に突出するように配置し、
前記第１指掛部および前記第２指掛部を、前記レール部から互いに逆向きに側方に突出するように配置し、
前記第１指掛部と前記第３指掛部とを前記レール部の一方の側に、前記第２指掛部と前記第４指掛部とを該レール部の他方の側に設けることができる。
【００１１】
このように構成することにより、たとえば、第１指掛部に親指を掛けるとともに、第３指掛部に中指を、第４指掛部に人差指を掛けて、または第２指掛部に親指を掛けるとともに、第４指掛部に中指を、第３指掛部に人差指を掛けて、それぞれ自然な指の配置で握る操作を行うことができ、さらに操作性を向上し得る。
【００１２】
本発明に係る医療用処置器具の操作装置において、前記第１指掛部、前記第２指掛部、および前記第３指掛部は、指挿入用の貫通穴をそれぞれ有することができる。また、前記第４指掛部も、指挿入用の貫通穴を有することができる。このように構成することにより、場合によっては、握る操作のみならず、開く操作をも行い得るので、操作装置に対して手を１８０°反転した状態でも操作することも可能であり、操作のバリエーションを増やすことができる。
【図面の簡単な説明】
【００１３】
【図１】図１は、本発明の実施形態に係る内視鏡用バスケット型処置器具の全体構成を示す平面図であり、バスケット部をカテーテルチューブの遠位端から突出させた状態を示す図である。
【図２】図２は、図１に示す内視鏡用バスケット型処置器具において、バスケット部をカテーテルチューブの遠位端内に引き込んだ状態を示す図である。
【図３】図３は、図１に示す内視鏡用バスケット型処置器具のバスケット部の構成の一例を示す斜視図である。
【発明を実施するための形態】
【００１４】
以下、本発明の実施形態について、図面を参照して説明する。本実施形態では、本発明に係る医療用処置器具の操作装置が適用された医療用処置器具として、内視鏡を利用して体内に挿入される内視鏡用バスケット型処置器具を例にとり説明する。ただし、本発明は、それぞれ遠位端および近位端を有する長尺体と該長尺体がスライド可能に挿通された筒状体とを有するカテーテル部と、該カテーテル部の遠位端に配置される処置部とを有する各種の医療用処置器具に広く適用可能である。
【００１５】
内視鏡用バスケット型処置器具以外には、本発明は、たとえば体内組織をクリップで把持して止血やマーキング等を行うための特許文献１に記載のようなクリップ装置、体内組織を結紮スネアで結紮する結紮装置、体内管腔にステントを留置するステントデリバリ装置、鉗子装置、高周波ナイフ装置等にも適用可能である。また、本発明は、内視鏡を利用して体内に挿入されて用いられる内視鏡用処置器具にも限定されず、内視鏡を用いずに経皮的にあるいは身体の自然口から体内管腔内に挿入されて使用される医療用処置器具に広く適用可能である。
【００１６】
本実施形態に係る内視鏡用バスケット型処置器具は、内視鏡のチャネル（処置器具案内管）に挿入され、十二指腸および十二指腸乳頭を介して胆管内に挿入されて、結石（胆石）等を摘除（捕捉・回収）または破砕するために用いられる器具である。
【００１７】
図１に示すように、このバスケット型処置器具１は、内視鏡のチャネルを介して体内に挿入される長尺のカテーテル部１０、カテーテル部１０の遠位端に設けられた処置部２０、およびカテーテル部１０の近位端に設けられ、体内に挿入された処置部２０を体外において操作する操作部（操作装置）３０を概略備えて構成されている。
【００１８】
カテーテル部１０は、遠位端および近位端を有する長尺体としての操作ワイヤ１１および同じく遠位端および近位端を有し、操作ワイヤ１１がスライド可能（軸方向移動自在）に挿通される長尺の筒状体としてのカテーテルチューブ１２とを備えている。
【００１９】
カテーテルチューブ１２は、可撓性材料によって形成されたチューブであって、経内視鏡的に体内に挿入される側の端部である遠位端部と、体外に配置される近位端部とを有している。特に限定されないが、カテーテルチューブ１２の外径は、１．０〜３．０ｍｍ程度であり、カテーテルチューブ１２の肉厚は、０．０５〜０．５ｍｍ程度であり、カテーテルチューブ１２の長さは、５００〜２５００ｍｍ程度である。カテーテルチューブ１２の遠位端には、ステンレス鋼管などの金属製短管１２ａが固定されている。
【００２０】
カテーテルチューブ１２の材料は、可撓性を有する材料であれば特に限定されないが、高分子材料であることが好ましく、なかでも、ポリアミド樹脂あるいはポリアミド系エラストマーであることが特に好ましい。カテーテルチューブ１２は、樹脂と補強用の金属とで構成してもよい。カテーテルチューブ１２を金属で補強する場合の形態としては、コイルチューブや、ブレードチューブが挙げられる。
【００２１】
操作ワイヤ１１は、その近位端側に作用する操作力を後述するバスケット部２１まで伝達し、カテーテルチューブ１２内に折り畳まれて収縮した状態で収納されたバスケット部２１をカテーテルチューブ１２の遠位端から外部に送り出すことが可能な程度の剛性を有している。
【００２２】
操作ワイヤ１１の遠位端には、処置部２０として、バスケット部２１が一体的に設けられている。バスケット部２１は、近位端側から操作部３０を操作して、カテーテルチューブ１２の遠位端の開口からその内側に引き込むと、かごが折り畳まれるように収縮し、カテーテルチューブ１２内に収納されるようになっている。また、バスケット部２１は、その状態から操作部３０の操作により、カテーテルチューブ１２の遠位端の開口から押し出されると、自己の形状復元性により、引き込まれる前の形状に拡開するように構成されている。
【００２３】
バスケット部２１は、図３に示すように、４本のワイヤ（線材）２２ａ〜２２ｄから形成されていて、そのワイヤ２２ａ〜２２ｄの遠位端部は、先端チップ２３により結束されている。また、ワイヤ２２ａ〜２２ｄの近位端部は、結束部２４において、銀ロー溶接などの溶接法等により結束され、その結束部２４よりも近位端側で束ねられている４本のワイヤ２２ａ〜２２ｄは操作ワイヤ１１の少なくとも一部を構成することとなる。
【００２４】
バスケット部２１を構成するワイヤ２２ａ〜２２ｄは、カテーテルチューブ１２の遠位端の開口１２ｂから飛び出した状態で、半径方向外方に弾力により膨らむように、各ワイヤ２２ａ〜２２ｄには、内方折曲部２５および外方折曲部２６が形成してあり、ワイヤ２２ａ〜２２ｄ全体でかご状のバスケット部２１に形成されている。その結果、ワイヤ２２ａ〜２２ｄ間の隙間を介して、バスケット部２１内に胆石等を捕捉することが可能になっている。
【００２５】
操作ワイヤ１１は、バスケット部２１を構成するワイヤ２２ａ〜２２ｄを長手方向に延長することにより構成してもよいが、これらのワイヤ２２ａ〜２２ｄとは別のワイヤにより構成してもよい。バスケット部２１を構成するワイヤ２２ａ〜２２ｄおよび操作ワイヤ１１は、たとえば線径が０．１ｍｍ〜１．５ｍｍの金属製ワイヤで構成することができる。これらのワイヤの材質としては、たとえばニッケルチタン合金、ステンレス鋼、金、銀、白金、ニッケル、鉄、チタン、アルミ、スズ、亜鉛、タングステンなどが例示される。また、バスケット部２１を構成するためのワイヤ２２ａ〜２２ｄの本数は、特に限定されないが、２〜１０本であることが好ましい。
【００２６】
また、操作ワイヤ１１の近位端側の操作部３０に対応する位置には、ステンレス鋼などの金属で構成された接合パイプ１３が覆設されて、その接合パイプ１３と操作ワイヤ１１とが溶接などの手段によって接合されている。この接合パイプ１３を設けた位置において、後述するようにロックつまみ３２ｄを用いた操作ワイヤ１１とスライダ部材３２との接続固定を行うことより、接合パイプ１３を設けない場合に比べて操作ワイヤ１１とスライダ部材３２との接続固定をより確実なものとすることができる。
【００２７】
カテーテル部１０の近位端には、本発明が適用された操作装置としての操作部（ハンドル）３０が設けられている。操作部３０は、ベース部材３１およびスライダ部材３２を備えている。
【００２８】
ベース部材３１は、第１指掛部３１ａ、第２指掛部３１ｂおよびレール部３１ｃを有している。レール部３１ｃは、略直線状の一対のレールを有するように略矩形状の貫通穴を有する略短冊状の部位であり、レール部３１ｃの長手方向の近位端側に第１指掛部３１ａが、レール部３１ｃの長手方向の遠位端側に第２指掛部３１ｂがそれぞれ一体的に設けられている。
【００２９】
第１指掛部３１ａと第２指掛部３１ｂとは、互いに逆向きに側方に突出するように配置されている。すなわち、第１指掛部３１ａは、レール部３１ｃの側部からその短手方向の一側（図１において右側）に突出するように設けられており、第２指掛部３１ｂは、レール部３１ｃの側部からその短手方向の他側（図１において左側）に突出するように設けられている。第１指掛部３１ａおよび第２指掛部３１ｂは、それぞれ、人間の手指を支障なく挿抜し得る程度の径を有する略円形の貫通穴を有している。なお、第１指掛部３１ａと第２指掛部３１ｂとは、互いに同じ向きに側方に突出するように配置してもよい。
【００３０】
ベース部材３１（レール部３１ｃ）の遠位端には、ルアーロック式のロックコネクタ３３が設けられており、カテーテルチューブ１２の近位端がコネクタハブ３４を介して、ロックコネクタ３３に着脱可能に接続固定されている。コネクタハブ３４は、側注管３４ａを有しており、側注管３４ａにシリンジ（不図示）を接続して、造影剤等を注入できるようになっており、注入された造影剤等は、カテーテルチューブ１２の内腔を介して、その遠位端の開口１２ｂから放出される。さらに、ベース部材３１（レール部３１ｃ）の遠位端側と近位端側のそれぞれには、ロックコネクタ３３の近位端側に延出する操作ワイヤ１１（接合パイプ１３）が通過できる挿通孔（図示せず）が設けられており、操作ワイヤ１１（接合パイプ１３）は、これらの挿通孔の間に架け渡されることによって、レール部３１ｃにおける一対のレールの間（略矩形状の貫通穴の内部）を通って、ベース部材３１の近位端側から突出するようになっている。
【００３１】
ベース部材３１には、レール部３１ｃに沿ってスライド可能に、スライダ部材３２が取り付けられている。スライダ部材３２は、レール部３１ｃの一対のレールを外側から抱え込むように形成された受け部３２ｃを有しており、レール部３１ｃの長手方向に沿ってスライド可能となっている。
【００３２】
スライダ部材３２（受け部３２ｃ）の両側には、第３指掛部３２ａおよび第４指掛部３２ｂがそれぞれ一体的に設けられている。第３指掛部３２ａと第４指掛部３２ｂとは、互いに逆向きに側方に突出するように配置されている。すなわち、第３指掛部３２ａは、受け部３２ｃの側部からレール部３１ｃの短手方向の一側（図１において右側）に突出するように設けられており、第４指掛部３２ｂは、受け部３２ｃの側部からレール部３１ｃの短手方向の他側（図１において左側）に突出するように設けられている。第３指掛部３２ａおよび第４指掛部３２ｂは、それぞれ、人間の手指を支障なく挿抜し得る程度の径を有する略円形の貫通穴を有している。
【００３３】
スライダ部材３２の受け部３２ｃの略中央部分には、操作ワイヤ１１をスライダ部材３２に対して着脱可能に接続固定するためのネジ式のロックつまみ３２ｄが設けられており、ロックつまみ３２ｄをネジ込むことにより、操作ワイヤ１１に覆設された接合パイプ１３をくわえ込むまたは挟み込んで、操作ワイヤ１１をスライダ部材３２に対して固定することができ、ロックつまみ３２ｄを緩めることにより、操作ワイヤ１１のスライダ部材３２に対する固定を解除することができる。
【００３４】
このように、スライダ部材３２は、ベース部材３１に対して、遠位端側にスライドした位置（図１参照）と近位端側にスライドした２つの位置（図２参照）との間で位置決め可能にスライドし得るようになっている。
【００３５】
スライダ部材３２をベース部材３１に対して遠位端側にスライドすると、操作ワイヤ１１がカテーテルチューブ１２に対して遠位端側にスライドして、バスケット部２１がカテーテルチューブ１２の遠位端の開口１２ｂから押し出されて拡開する（図１および図３参照）。これと反対に、スライダ部材３２をベース部材３１に対して近位端側にスライドすると、操作ワイヤ１１がカテーテルチューブ１２に対して近位端側にスライドして、バスケット部２１がカテーテルチューブ１２の遠位端の開口１２ｂから引き込まれて収縮する（図２参照）。
【００３６】
次に、本実施形態に係る内視鏡用バスケット型処置器具１の使用方法の一例として、バスケット型処置器具１を内視鏡のチャネルを介して胆管内に挿入して、胆石を破砕する場合について概説する。
【００３７】
まず、内視鏡用バスケット型処置器具１を体内に挿入する際に用いる内視鏡が、患者の十二指腸の内部の十二指腸乳頭の近くまで挿入される。次いで、その内視鏡の近位端側から内視鏡用バスケット型処置器具のカテーテルチューブ１２が、内視鏡のチャネル内部に挿入される。この際、内視鏡用バスケット型処置器具１のバスケット部２１はカテーテルチューブ１２内に収納された状態である。
【００３８】
内視鏡用バスケット型処置器具１のカテーテルチューブ１２の遠位端側の部分が、内視鏡のチャネルの遠位端側の開口から飛び出た状態となったら、その部分を乳頭に挿通することで、胆管内に挿入する。なお、乳頭は必要に応じて、予めバルーンカテーテル等を用いて拡張しておいてもよい。胆管内のある程度の位置まで、カテーテルチューブ１２をさらに挿入し（進行させ）、その後、必要に応じて、コネクタハブ３４の側注管３４ａから造影剤を注入して、該造影剤をカテーテルチューブ１２の遠位端の開口１２ｂから胆管内に流した上で、胆管の内部をＸ線透視により観察し、胆石等の位置を把握し、カテーテルチューブ１２の遠位端の位置を調整する。
【００３９】
次いで、操作部３０を操作して、スライダ部材３２をベース部材３１に対して遠位端側にスライドして、操作ワイヤ１１を遠位端側に送り込むことにより、カテーテルチューブ１２の遠位端の開口１２ｂからバスケット部２１を飛び出させる（図１参照）。これにより、バスケット部２１が拡開するので、拡開したバスケット部２１で胆石等を捕捉する。その後、スライダ部材３２をベース部材３１に対して近位端側にスライドして、操作ワイヤ１１をカテーテルチューブ１２内に引き込み、バスケット部２１を、カテーテルチューブ１２の遠位端の開口１２ｂ内に引き込みつつ、バスケット部２１の外径を狭め、胆石を破砕する。
【００４０】
なお、胆石等を破砕せずに摘除する場合には、スライダ部材３２のベース部材３１に対する近位端側へのスライドを途中で止めて、カテーテル部１０を体内から引き抜くことで、バスケット部２１に捕捉された胆石等を回収してもよい。
【００４１】
本実施形態に係る内視鏡用バスケット型処置器具１では、その操作部３０として、ベース部材３１が、スライダ部材３２よりも近位端側に第１指掛部３１ａおよびスライダ部材３２よりも遠位端側に第２指掛部３１ｂを有している。そして、第１指掛部３１ａと第３指掛部３２ａとをレール部３１ｃの一方の側に、第２指掛部３１ｂと第４指掛部３２ｂとをレール部３１ｃの他方の側に設けている。
【００４２】
このため、図２の図面奥側から図面手前側に向けて右手の各指を差し入れる場合において、第１指掛部３１ａに親指を掛けるとともに、第３指掛部３２ａに中指を、第４指掛部３２ｂに人差指を掛けて（以下、便宜的に、この指の配置を第１の指配置という）、これらを近接させるように握る操作を行うことにより、スライダ部材３２をベース部材３１に対して近位端側にスライドさせることができる。また、図１の図面奥側から図面手前側に向けて右手の各指を差し入れる場合において、第２指掛部３１ｂに親指を掛けるとともに、第４指掛部３２ｂに中指を、第３指掛部３２ａに人差指を掛けて（以下、便宜的に、この指の配置を第２の指配置という）、これらを近接させるように握る操作を行うことにより、スライダ部材３２をベース部材３１に対して遠位端側にスライドさせることができる。したがって、いずれの方向への操作も、握る操作で行い得るため、その操作性を向上することができる。
【００４３】
また、本実施形態では、第１指掛部３１ａ、第２指掛部３１ｂ、第３指掛部３２ａおよび第４指掛部３２ｂは、指挿入用の貫通穴をそれぞれ有しているため、握る操作のみならず、開く操作をも行い得る、すなわち、上記の第１の指配置による操作と、上記の第２の指配置による操作とを、必要に応じて、任意に選択して行い得る。したがって、手技を行う際の術者と操作部３０との位置や姿勢の関係に応じて、手を１８０°反転した操作をも行い得るので、操作し易い方を適宜に選ぶことができ、操作のバリエーションを増やすことができるとともに、その操作性を向上することができる。
【００４４】
さらに、ロックコネクタ３３を設けてカテーテルチューブ１２をベース部材３１に対して着脱可能とし、ロックつまみ３２ｄを設けて操作ワイヤ１１をスライダ部材３２に対して着脱可能としたので、たとえば、バスケット部２１で胆石を捕捉した際に、その胆石がそのまま胆管外に排出するのが困難なほどに大きく、しかも極めて堅固であることが判明した場合には、ロックコネクタ３３によるカテーテルチューブ１２（コネクタハブ３４を含む）のベース部３１に対する固定を解除し、ロックつまみ３２ｄによる操作ワイヤ１１のスライダ部材３２に対する固定を解除して、カテーテル部１０から操作部３０を取り外し、堅固な胆石の破砕により適した他の操作装置（たとえば、特開２００１−８７２７３号に開示されるワイヤ駆動装置）を取り付けて、バスケット部２１で捕捉した胆石を破砕する、といった用い方をすることができ、各種の要請に柔軟に対応することができる。また、さらに、操作ワイヤ１１を、略直線状のレール部３１ｃにおける一対のレールの間を通して、ベース部材３１の近位端側から突出可能とし、各指掛部をレール部３１ｃから突出するように配置したので、操作ワイヤ１１として長いものを使用した場合であっても各指掛部と操作ワイヤ１１とが干渉せずに、操作部３０を円滑に操作することができる。そのため、接続のために十分に長い操作ワイヤ１１を必要とする他の操作装置への交換に備えることが可能となり、各種の要請に柔軟に対応することができる。
【００４５】
なお、バスケット部２１の構成は、上述したものに限られず、たとえば特開２００５−２１１９５号公報に開示されているように、略螺旋状に形成された複数のワイヤを組み合わせて構成されたバスケット部、その他の構成のバスケット部としてもよい。
【００４６】
また、上述した実施形態では、カテーテルチューブ１２をベース部材３１に、操作ワイヤ１１をスライダ部材３２に接続しているが、これと逆に、すなわちカテーテルチューブ１２をスライダ部材３２に、カテーテルチューブ１２をベース部材３１に接続して構成してもよい。
【００４７】
以上説明した実施形態は、本発明の理解を容易にするために記載されたものであって、本発明を限定するために記載されたものではない。したがって、上述した実施形態に開示された各要素は、本発明の技術的範囲に属する全ての設計変更や均等物をも含む趣旨である。
【符号の説明】
【００４８】
１…内視鏡用バスケット型処置器具（医療用処置器具）
１０…カテーテル部
１１…操作ワイヤ
１２…カテーテルチューブ
１２ｂ…開口
２０…処置部
２１…バスケット部
３０…操作部（操作装置）
３１…ベース部材
３１ａ…第１指掛部
３１ｂ…第２指掛部
３１ｃ…レール部
３２…スライダ部材
３２ａ…第３指掛部
３２ｂ…第４指掛部
３２ｃ…受け部
３２ｄ…ロックつまみ
３３…ロックコネクタ
３４…コネクタハブ
【図１】
2019130037.tif 000003
【図２】
2019130037.tif 000004
【図３】
2019130037.tif 000005